【手続補正書】
【提出日】平成18年2月2日(2006.2.2)
【手続補正１】
【補正対象書類名】明細書
【補正対象項目名】特許請求の範囲
【補正方法】変更
【補正の内容】
【特許請求の範囲】
【請求項１】
シート状体を挟持して搬送する第１のローラ対と第２のローラ対とを前記シート状体の搬送長さよりも短い間隔で配置し、
搬送方向下流側の前記第２のローラ対を前記シート状体の厚さよりも狭いニップ間隙を維持するように構成するとともに、前記第２のローラ対のニップ圧を前記シート状体の進入時に弱く、前記シート状体の遅くとも後端部搬送時に強く切り替えるように構成したことを特徴とするシート搬送機構。
【請求項２】
前記第２のローラ対は、駆動ローラと、大径部及び小径部を有する従動ローラと、から構成され、前記従動ローラの大径部と前記駆動ローラとが当接して前記ニップ隙間を形成するように構成されたことを特徴とする請求項１に記載のシート搬送機構。
【請求項３】
前記大径部及び前記小径部が一体品であることを特徴とする請求項２に記載のシート搬送機構。
【請求項４】
前記大径部及び前記小径部が別部品で組み立てられていることを特徴とする請求項２に記載のシート搬送機構。
【請求項５】
前記大径部及び前記小径部が同一の材質から構成されていることを特徴とする請求項４に記載のシート搬送機構。
【請求項６】
シート状の被走査体を挟持して搬送する第１のローラ対と第２のローラ対とを前記被走査体の搬送長さよりも短い間隔で配置し、前記第１のローラ対と前記第２のローラ対とにより副走査搬送をなすとともに、前記第１のローラ対と前記第２のローラ対との間で前記副走査搬送方向と略直交する方向に偏向された光ビームを照射し主走査を行うことにより前記被走査体を二次元的に走査する光ビーム走査装置において、
前記副走査方向下流側の前記第２のローラ対を前記シート状体の厚さよりも狭いニップ間隙を維持するように構成するとともに、前記第２のローラ対のニップ圧を前記被走査体の進入時に弱く、前記被走査体の遅くとも後端部搬送時に強く切り替えるように構成したことを特徴とする光ビーム走査装置。
【請求項７】
シート状の被走査体を挟持して搬送する第１のローラ対と第２のローラ対とを前記被走査体の搬送長さよりも短い間隔で配置し、前記第１のローラ対と前記第２のローラ対とにより副走査搬送をなすとともに、前記第１のローラ対と前記第２のローラ対との間で前記副走査搬送方向と略直交する方向に偏向された光ビームを照射し主走査を行うことにより前記被走査体を二次元的に走査する光ビーム走査装置において、
前記副走査方向下流側の前記第２のローラ対を前記シート状体の厚さよりも狭いニップ間隙を維持するように構成するとともに、前記第２のローラ対のニップ圧を少なくとも２段階に切り替えるように構成したことを特徴とする光ビーム走査装置。
【請求項８】
前記二次元的走査の途中で前記被走査体を所定の曲率で次工程へ搬送するガイド手段を備えることを特徴とする請求項６または７に記載の光ビーム走査装置。
【請求項９】
前記ガイド手段の曲率は９０ｍｍ以上であることを特徴とする請求項８に記載の光ビーム走査装置。
【請求項１０】
前記ガイド手段の案内面に前記被走査体を搬送し易くする搬送容易化手段が設けられていることを特徴とする請求項８または９に記載の光ビーム走査装置。
【手続補正２】
【補正対象書類名】明細書
【補正対象項目名】発明の名称
【補正方法】変更
【補正の内容】
【発明の名称】シート搬送機構及び光ビーム走査装置  
【手続補正３】
【補正対象書類名】明細書
【補正対象項目名】０００１
【補正方法】変更
【補正の内容】
【０００１】
【発明の属する技術分野】
本発明は、シート状体を搬送するシート搬送機構及びシート状の被走査体を搬送し二次元的に走査する光ビーム走査装置に関するものである。
【手続補正４】
【補正対象書類名】明細書
【補正対象項目名】００１０
【補正方法】変更
【補正の内容】
【００１０】
【発明が解決しようとする課題】
本発明は、上記従来技術の問題に鑑み、シート状体を２組のローラ対を用いて搬送するとき、第２のローラ対における先端突入障害の発生の抑制及び搬送性の向上を両立できるようにしたシート搬送機構及び光ビーム走査装置を提供することを目的とする。 
【手続補正５】
【補正対象書類名】明細書
【補正対象項目名】００１１
【補正方法】変更
【補正の内容】
【００１１】
【課題を解決するための手段】
上記目的を達成するために、本発明によるシート搬送機構は、シート状体を挟持して搬送する第１のローラ対と第２のローラ対とを前記シート状体の搬送長さよりも短い間隔で配置し、搬送方向下流側の前記第２のローラ対を前記シート状体の厚さよりも狭いニップ間隙を維持するように構成するとともに、前記第２のローラ対のニップ圧を前記シート状体の侵入時に弱く、前記シート状体の遅くとも後端部搬送時に強く切り替えるように構成したことを特徴とする。
【手続補正６】
【補正対象書類名】明細書
【補正対象項目名】００１５
【補正方法】変更
【補正の内容】
【００１５】
本発明による光ビーム走査装置は、シート状の被走査体を挟持して搬送する第１のローラ対と第２のローラ対とを前記被走査体の搬送長さよりも短い間隔で配置し、前記第１のローラ対と前記第２のローラ対とにより副走査搬送をなすとともに、前記第１のローラ対と前記第２のローラ対との間で前記副走査搬送方向と略直交する方向に偏向された光ビームを照射し主走査を行うことにより前記被走査体を二次元的に走査する光ビーム走査装置において、前記副走査方向下流側の前記第２のローラ対を前記シート状体の厚さよりも狭いニップ間隙を維持するように構成するとともに、前記第２のローラ対のニップ圧を前記被走査体の進入時に弱く、前記被走査体の遅くとも後端部搬送時に強く切り替えるように構成したことを特徴とする。前記第２のローラ対のニップ圧を前記被走査体の進入時に弱く、前記被走査体の遅くとも後端部搬送時に強くすることで、第２のローラ対における先端突入障害の発生の抑制及び搬送性の向上を両立できる。
【手続補正７】
【補正対象書類名】明細書
【補正対象項目名】００１６
【補正方法】変更
【補正の内容】
【００１６】
本発明の別の光ビーム走査装置は、シート状の被走査体を挟持して搬送する第１のローラ対と第２のローラ対とを前記被走査体の搬送長さよりも短い間隔で配置し、前記第１のローラ対と前記第２のローラ対とにより副走査搬送をなすとともに、前記第１のローラ対と前記第２のローラ対との間で前記副走査搬送方向と略直交する方向に偏向された光ビームを照射し主走査を行うことにより前記被走査体を二次元的に走査する光ビーム走査装置において、前記副走査方向下流側の前記第２のローラ対を前記シート状体の厚さよりも狭いニップ間隙を維持するように構成するとともに、前記第２のローラ対のニップ圧を前記被走査体の進入時に弱く、前記被走査体の遅くとも後端部搬送時に強く切り替えるように構成したことを特徴とする。
【手続補正８】
【補正対象書類名】明細書
【補正対象項目名】００１８
【補正方法】変更
【補正の内容】
【００１８】
上記光ビーム走査装置は、更に前記二次元的走査の途中に前記被走査体を所定の曲率で次工程へ搬送するガイド手段を備えることを特徴とする。
【手続補正９】
【補正対象書類名】明細書
【補正対象項目名】００２４
【補正方法】変更
【補正の内容】
【００２４】
なお、上述の光ビーム走査装置を備える画像形成装置は、前記二次元的走査により前記被走査体に画像を形成することを特徴とする。この画像形成装置によれば、被走査体の搬送性を向上でき被走査体に形成される画質を改善できる。
【手続補正１０】
【補正対象書類名】明細書
【補正対象項目名】００２５
【補正方法】変更
【補正の内容】
【００２５】
また、別の画像形成装置は、上述の光ビーム走査装置を備え、前記被走査体は熱現像感光フィルムであり、前記二次元的走査により前記熱現像感光フィルムに潜像を形成することを特徴とする。この画像形成装置によれば、熱現像感光フィルムの搬送性を向上できそのフィルムに形成される画質を改善できる。
【手続補正１１】
【補正対象書類名】明細書
【補正対象項目名】００７６
【補正方法】変更
【補正の内容】
【００７６】
以上のように本発明を実施の形態及び実施例により説明したが、本発明はこれらに限定されるものではなく、本発明の技術的思想の範囲内で各種の変形が可能である。例えば、本発明のシート搬送機構及び光ビーム走査装置は、画像形成装置以外に適用してもよく、例えば画像情報が記録されたシート状部材に光ビームを照射してその画像情報を読み取る画像読取装置等に適用できる。また、第２の搬送ローラ対のニップ圧を２段階に切り替えるようにしたが、更に多段階に切り替えるようにしてもよい。